(57)【要約】【課題】  従来の電子文書管理システムでは、電子文書ファイルの作成者が文書を配布し、それを複数の人が参照、修正した際、この文書が時アプリケーションに戻った場合、自分が持っている文書より古いのか、新しいのかが解らないため念のために保存しているケースが多く、その結果、同一ファイルが氾濫するという問題があった。【解決手段】  電子文書管理アプリケーション内に履歴管理ファイルを追加し、エクスポートする電子文書に文書を唯一特定できるＩＤを埋め込み、電子文書を文書管理アプリケーションに外部からのアーカイブされた電子文書がインポートされた場合、ＩＤを取り出し、履歴管理ファイルと照合する事でファイルの同一性を判断する。【選択図】        図１
2006277037.tif 000002
【特許請求の範囲】
【請求項１】
電子文書ファイルをアーカイブする手段と、アーカイブされたファイルを復元するアンアーカイブ手段と、ＭＡＣアドレス、日時、ハードディスク番号、ファイルパス名称、ログインユーザー等の情報を組み合わせてハッシュを適用し、電子文書を唯一特定するための固定長ＩＤを生成する手段と、電子文書に何らかの操作があった場合、日時、ＩＤ、ログインユーザー名称、作成、編集、削除、複写等のファイルオペレーション種別を一組として任意の電子文書ファイルに対する履歴を管理する手段と、アーカイブファイルの中に文書ヘッダ、電子文書管理ファイル、電子文書を持ち、文書ヘッダにはアーカイブ内のファイル数、電子文書ファイルサイズ、文書作成時のＩＤ、文書編集後のＩＤを持ち、さらに各々のファイル情報として、パスワードや圧縮に関する情報であるファイル管理情報を持ち、電子文書管理ファイルには各々のファイルに関するファイル名、サイズ、等の情報があり、電子文書ファイルにはそれに対応する文書作成時のＩＤ、文書編集後の最新のＩＤを上述のヘッダとは異なり、個別に付与でき、文書管理アプリケーションは、電子文書を内部データとして管理しているが、この文書をアプリケーションの管理下から外に出すエクスポートの際に上述のアーカイブ形式に変換し、
一方、上述の手段によってアーカイブされた電子文書が該文書管理アプリケーションにインポートされるケースがある際に、上述のヘッダ情報を解析し、文書作成時のＩＤ、文書編集後のＩＤを取り出し、履歴を管理する手段を使用して照合を行い、電子文書が該文書管理アプリケーションで管理されたかどうかをユーザーに通知することを特徴とする文書管理システム。
【請求項２】
請求項１に記載の文書管理システムおいて、電子文書ファイルを上記アーカイブ手段で元のファイルに復元して上記ユーザーに通知する際、アーカイブされた電子文書が修正されていることを確認できることを特徴とする文書管理システム。
【請求項３】
請求項１に記載の文書管理システムにおいて、文書作成時のＩＤ、文書編集後のＩＤを作成する際、ＭＤ５等の勧告に準拠したハッシュ処理を使用することを特徴とする文書管理システム。
【請求項４】
請求項１に記載の文書管理システムにおいて、文書作成時のＩＤ、文書編集後の最新のＩＤを作成する際、ユーザーが任意に作成方式を指定できることを特徴とした文書管理システム。
【請求項５】
請求項１に記載の文書管理システムにおいて、前記文書管理アプリケーションはアーカイブファイル内に格納された電子文書がアーカイブを外してエクスポートされることを禁止できることを特徴とする文書管理システム。
【発明の詳細な説明】
【技術分野】
【０００１】
本発明は電子文書を作成、編集、印刷、保存する文書管理システムに関する。
【背景技術】
【０００２】
従来この種の電子文書ファイルは、あるデータ作成者が電子文書ファイルを作成し、その電子文書ファイルを配布し、最後に電子文書ファイル管理部門でデータベースに記録されるような一連の処理が成されていた。この処理フロー内において、一旦管理アプリケーションの外に出された電子文書が流通すると、複数のＰＣで保存やコピーされ、どの電子文書が自アプリケーションで作成したものか特定する事が難しかった（例えば、特許文献１参照）。
【特許文献１】特開２００１−３４４１５５号公報
【発明の開示】
【発明が解決しようとする課題】
【０００３】
従って、従来の電子文書管理システムでは、電子文書ファイルの作成者が文書を配布し、それを複数の人が参照、修正した際、この文書が時アプリケーションに戻った場合、自分が持っている文書より古いのか、新しいのかが解らないため念のために保存しているケースが多く、その結果、同一ファイルが氾濫すると言う問題があった。
【０００４】
本発明は、以上の点に着目して成されたもので、ユーザが、エクスポートされたファイルが編集されているかどうかを知ることができ、冗長な電子文書の増加を防ぐことができる文書管理システムを提供することを目的とする。
【課題を解決するための手段】
【０００５】
本発明はかかる従来技術に鑑みなされたものであり、少なくとも一つ以上のファイルを１つのファイルに結合するファイルアーカイブ手段と、１ファイルに結合されたファイルを元のファイルに復元するアンアーカイブ手段と、上記電子文書の操作履歴を管理する方法を記述した履歴の管理手段、ＭＡＣアドレス、日時、ハードディスク番号、ファイルパス名称、ログインユーザー等の情報を組み合わせてハッシュを適用し、電子文書を唯一特定するための固定長ＩＤを生成する手段と、電子文書に何らかの操作があった場合、日時、ＩＤ、ログインユーザー名称、作成、編集、削除、複写等のファイルオペレーション種別を一組として任意の電子文書ファイルに対する履歴を管理する手段と、アーカイブファイルの中に文書ヘッダ、電子文書管理ファイル、電子文書を持ち、文書ヘッダにはアーカイブ内のファイル数、電子文書ファイルサイズ、文書作成時のＩＤ、文書編集後のＩＤを持ち、さらに各々のファイル情報として、パスワードや圧縮に関する情報であるファイル管理情報を持ち、電子文書管理ファイルには各々のファイルに関するファイル名、サイズ、等の情報があり、電子文書ファイルにはそれに対応する文書作成時のＩＤ、文書編集後の最新のＩＤを上述のヘッダとは異なり、個別に付与でき、文書管理アプリケーションは、電子文書を内部データとして管理しているが、この文書をアプリケーションの管理下から外に出すエクスポートの際に上述のアーカイブ形式に変換し、
一方、上述の手段によってアーカイブされた電子文書が該文書管理アプリケーションにインポートされるケースがある際に、上述のヘッダ情報を解析し、文書作成時のＩＤ、文書編集後のＩＤを取り出し、履歴を管理する手段を使用して照合を行い、電子文書が該文書管理アプリケーションで管理されたかどうかをユーザーに通知することで本課題の解決を実現する。
【発明の効果】
【０００６】
本発明によれば、電子文書ファイルに記録されているデータ毎にその編集の有無を判定することにより、ユーザはエクスポートされたファイルが編集されているかどうかを知る事ができる。その結果、冗長な電子文書の増加を防ぐ事ができる。
【発明を実施するための最良の形態】
【０００７】
以下、添付図面に従って本発明に係わる実施例を詳細に説明する。
【実施例】
【０００８】
図１は本発明の一実施例を説明する電子文書印刷装置のシステム・ブロック図である。
【０００９】
１はシステム・バスであり、これから説明する各構成ブロックはこのシステム・バスに接続されている。２はＣＰＵ（Ｃｅｎｔｒａｌ  Ｐｒｏｃｅｓｓｉｎｇ  Ｕｎｉｔ）である。３はプログラム・メモリ（以下ＰＭＥＭと称す）で、編集・読み取り機器制御・印刷処理手順記述ファイルの解析・その解析に基いた印刷処理など各種処理のためのプログラムを適宜ハード・ディスク１５から選択／読み込みし、２のＣＰＵにて実行する。又、作成されたデータや印刷処理用のデータはデータ格納用メモリでもあるＰＭＥＭに格納されるし、ユーザがキーボード９より入力したテキストデータや各種指示情報の一時格納用としてもＰＭＥＭが用いられる。
【００１０】
４は、通信制御部であり、１８の通信ポートに於ける入出力データの制御を行う。通信ポート１８から出力された信号は、通信回線１９を経由して、ネットワーク上の他の装置の通信ポートに伝えられる。２０は通信回線１９を介してつながっている他の電子文書印刷装置を示す。ネットワーク上で共有されているプリンタや、他の電子文書印刷装置との電子文書ファイルの送受信処理は、この通信制御部４を介して行われる。
【００１１】
また、本実施例ではＬＡＮなどのネットワークに関して記述するが、この通信制御部に接続される通信ポート及び通信回線が一般の公衆回線など他の通信手段であっても本発明が適応されることは言うまでもない。
【００１２】
５はデジタルカメラ、６は画像入出力制御部、７と１７はプリンタであり、デジタルカメラ５から読み込まれた画像データは、３のＰＭＥＭに展開されたのちＶＲＡＭ１１上に展開され、ＣＲＴ１３に表示される。８は入力制御部であり、９のキーボード、１０のＰＤ（ポインティングデバイスのこと、以下ＰＤと称す）等の入力装置が接続される。操作者はこのキーボード９を操作することによりシステムの動作指令等を行う。
【００１３】
またＰＤ１０は１３のＣＲＴ上で画像情報や文字データや数値データを選択、加工指示したり、電子文書ファイルの印刷パラメータの設定をするためのもので本実施例ではマウスを使用している。これによりＣＲＴ１３上のマウスカーソルをＸ，Ｙ方向に任意に移動して、メニューの選択、画像データ、図形データ、文字データ、数値データ、印刷パラメータの選択、編集を行なう。１１はビデオ・イメージ・メモリ（以下ＶＲＡＭと称す）、１２は表示出力制御部、１３はＣＲＴである。１３のＣＲＴに表示されるデータは１１のＶＲＡＭ上にビットマップデータとして展開されている。例えば図形データであれば、その位置、描画属性情報に対応した図形パターンがＶＲＡＭ上に展開されており、また、ソフト制御によりＶＲＡＭの表示エリアに直接カーソルを発生し表示が可能である。
【００１４】
１４は外部記憶装置制御部、１５、１６は電子文書ファイルや画像データや図形データや文字データや数値データなどを記録しておくデータファイル用のディスクで、例えば１５はハード・ディスク（以下ＨＤと称す）であり、１６は、フロッピー（登録商標）・ディスク（以下ＦＤと称す）である。本実施例ではＨＤ１５に複数のファイルを一つのファイルに統合するアーカイブ機能や電子文書ファイルの印刷機能などのプログラムが記録されるが、これらのプログラムを格納する記録媒体としては、ＲＯＭや、フロッピー（登録商標）ディスク１６や、ＣＤ−ＲＯＭ、メモリカード、光磁気ディスクなどのデバイスを用いることができる。
【００１５】
図２は本発明の電子文書印刷装置の外観図である。
【００１６】
２３はシステム・バス１やＣＰＵ２やＰＭＥＭ３や通信制御部４を内蔵した電子文書印刷装置の本体部である。１３はＣＲＴで、９はキーボード、１０はＰＤ、２１はＦＤドライブでありＦＤ２２がセットされて電子文書ファイルや画像データや図形データや文字データや数値データをＦＤ２２に書き込んだり、またＦＤ２２に記録されている電子文書ファイルや図形データや文字データや数値データを読み込んだりする。
【００１７】
また本発明は各種プログラムをＨＤ１５に記録した電子文書印刷装置において実現されるのはもちろんである。が、本発明を実現可能なプログラムを記録された記録媒体を他のシステムあるいは電子文書印刷装置に供給し、そのシステムあるいは装置のコンピュータが、記録媒体に格納されたプログラムコードを読み出し実行することによっても、本発明は達成される。例えば複数ファイルを一つのファイルに統合するアーカイブ機能や電子文書ファイルを印刷する機能プログラムが記録されたＦＤ２２を他の電子文書印刷装置のＦＤドライブ２１にセットし、そのプログラムをハードディスク１５へロードし、そのロードしたプログラムを実行する。こうすることによって本発明は他の電子文書印刷装置においても実現可能である。
【００１８】
以下では、従来の実施例を各種の図を用いながら詳細に説明していく。
【００１９】
まず本従来の実施例では、電子文書ファイルは各情報を記録した複数のファイルから構成されるとする。
【００２０】
また、電子文書ファイルは複数のファイルを一つのファイルに統合したアーカイブファイルであるとする。
【００２１】
図３に、本アプリケーションにかかわる電子文書とアーカイブデータの流れを示す。
【００２２】
ドキュメント管理アプリケーション（３５）は本クレームに係わるアプリケーションである。
【００２３】
通常、電子文書はドキュメント管理アプリケーション上で新規に作成されるのでこのケースで以下に説明して行く。まず電子文書（３３）がユーザーにより新規に作成されると、履歴管理表に必要な情報を生成する。この情報は、日時、ＩＤ、ログインユーザー名称、作成、編集、削除、複写等のファイルオペレーション種別である。ＩＤはＭＡＣアドレス、日時、ハードディスク番号、ファイルパス名称、ログインユーザー等の情報を組み合わせてハッシュを適用し、電子文書を唯一特定するために作成される。これらの情報が生成できると、履歴管理表（３４）に格納する。履歴管理表を抗すんするケースは他にもあり、電子文書の編集、削除複写などである。
【００２４】
電子文書のエクスポートがユーザーによって選択された場合、ＩＤ情報などを付加し、アーカイブファイルとして（３２）ドキュメント管理アプリケーションからエクスポートする。エクスポートされたアーカイブデーターはユーザーにより保存されたり、メールなどの通信手段を用いて他のＰＣ（３６）に送付される。
【００２５】
一方、ドキュメント管理アプリケーションでは、「自ＰＣによってエクスポートされた電子文書や」、他のＰＣで作成したアーカイファイルがユーザーによりインポート指示される（３２−＞３３）。
【００２６】
この時、アーカイブデータを解析し、そのヘッダファイルからＩＤを取り出し、取り出したＩＤを履歴管理表（３４）に登録されているＩＤと照合する。照合の結果、該当ＩＤが管理表にあればドキュメント管理アプリケーション（３５）のユーザーインタフェースによりユーザーに通知する。この時、電子文書内の文書作成時のＩＤと文書変更後のＩＤが異なる場合、いずれかのアプリケーションで編集されているので、その旨ユーザーに通知する。
【００２７】
図４の履歴管理表のデータ記録方法を使って説明する。
【００２８】
履歴管理表（４４）は列に電子文書に対するオペレーション回数、行にファイル名称を記載する。
【００２９】
各項目には、ＩＤ、日付、ユーザー、操作を記載する。ＩＤはＭＡＣアドレス、日時、ハードディスク番号、ファイルパス名称、ログインユーザー等の情報を組み合わせてハッシュを適用し、電子文書を唯一特定するための固定長ＩＤである。日付は年（西暦）、月、日だが、時間を追加する事が可能。ユーザーはその時ログインしたユーザー名称で、操作に関する種類で編集、複写、削除等を記載する。
【００３０】
図５に、本従来の実施例の電子文書ファイルを構成するファイル一覧の例を示す。
【００３１】
５１は、電子文書管理ファイルであり電子文書ファイル内にどのようなファイルが記録されているかを管理する情報が記録されている。５２は、電子文書ファイルであり任意の形式のドキュメントフォーマットや、画像ファイルそのものである。本画像ファイルのフォーマットは、一般に知られているＢＭＰフォーマットやＴＩＦＦフォーマットやＰＤＦフォーマット（ＰＤＦはＡｄｏｂｅ社の商標です）であっても構わないし、独自の画像フォーマットであっても構わず、本発明を実現できる。
【００３２】
図６に各種ファイルが一つの文書に統合されて電子文書ファイルがアーカイブされた場合の構成例を示す。
【００３３】
６２は電子文書ファイルのヘッダ情報であり、一つの文書に統合した場合にアーカイブされた電子文書ファイルを管理する為の情報が記録されている。この電子文書ファイルヘッダ情報を用いることによって、統合されたアーカイブ電子文書ファイルを元のファイルの状態に復元することができる。６３は電子文書ファイルを構成するファイルを示している。
【００３４】
図７に７０１の電子文書ファイルヘッダ情報の詳細な構成例を示す。
【００３５】
７０２は、トータルファイル数であり、電子文書ファイルに記録されているファイルの総数を示す。このファイル数をみれば、７０１の電子文書ファイルヘッダ情報内に、幾つのファイルに関する情報が記録されているかも判断することができる。７０２は、電子文書ファイルサイズであり、アーカイブ電子文書ファイルのサイズを示す。７０３は文書作成時のＩＤで電子文書が最初に作成された時点に割り当てられたＩＤを記載する。このＩＤは電子文書の消滅まで変更されない。７０４は文書編集時のＩＤで電子文書を最後にに編集した時点に割り当てられたＩＤを記載する。
【００３６】
７０６は、第一番目のファイル情報領域へのファイルの先頭からのオフセット値であり、７０６のデータ領域がアーカイブ電子文書ファイル内でどの領域に存在するかを示す。７０６から７０９まではアーカイブ電子文書ファイル内に記録されている、それぞれのファイルの情報を示す。７０７は電子文書ファイルに記録されている各ファイルに対する編集許可を判定する為のパスワードを記録する一例を示す。本実施例では電子文書ファイルヘッダ情報５１にパスワードを記録することによって、それぞれのファイルに対してのパスワードを設定できることとする。
【００３７】
パスワード情報７０７は電子文書ファイルに記録されているファイルに対する編集許可を判断する為のパスワードであり、その情報が存在する場合には正しいパスワードを指示しないと更新＆削除等の編集は許可されない。パスワード情報に何も記録されていない場合には、更新＆削除等の編集は自由であることを示す。
【００３８】
７０８は、ファイル名であり、アーカイブ電子文書ファイルから個々のファイルが取り出された時に付けられるファイル名を示す。７０９は、ファイルサイズであり、アーカイブ電子文書ファイル内でどれだけの領域を占有しているかを示す。具体的には、ファイルが圧縮されているかいないかによってそのサイズは変わってくる。７１０は、ファイルの実体へのオフセット値であり、このファイルがアーカイブ電子文書ファイル内で占める領域のファイルの先頭からのオフセット値が記録されている。７１１は、圧縮フラグであり、このファイルが圧縮されてアーカイブ電子文書ファイルに記録されているのか、圧縮されていないのかを示す。７１２は、圧縮方式であり、７１１の圧縮フラグで圧縮されていると記録されていた場合のみ意味を持ち、ＭＭＲ等の圧縮方式が記録されている。圧縮方式の詳細に関しては、本発明と関係しないのでその説明を省略する。
【００３９】
７１３は、ファイル属性であり、このファイルが元々所有していたＲｅａｄ  Ｏｎｌｙ等のファイル属性を記録し、アンアーカイブ機能によってファイルが復元された時にどのような属性を持たせるかを記録する。７１４は、次のファイル情報領域へのオフセット値であり、アーカイブ電子文書ファイルの先頭からのオフセット値が記録されている。以降のファイルに関しては図では省略されているが、７０８から７１４の項目がファイル数分だけ繰り返し記録されている。
【００４０】
図８に、電子文書管理ファイル５１の構成例を示す。
【００４１】
電子文書管理ファイルは、アーカイブ電子文書ファイルがアンアーカイブ機能によって個別のファイルに復元された時に、電子文書ファイルを構成する個々のファイルを管理する為の情報を記録している。
【００４２】
６０１は、トータルファイル数であり、電子文書ファイルを構成する各要素であるところのファイル数を示す。本従来の実施例では図３における３１の電子文書ファイルがそれにあたり、ファイル数は１である。６０２は、第一番目のファイル情報領域へのオフセット値であり、電子文書管理ファイルの先頭から第一番目のファイル情報が記録されている領域までのオフセット値である。本従来の実施例では、６０３の項目までの電子文書管理ファイルの先頭からのオフセット値が記録されている。
【００４３】
６０３から６０７までは、電子文書ファイルを構成する個々のファイルの情報が記録されている。６０３は、ファイル名であり、電子文書ファイルを構成する要素としてのファイルの名称を示す。５２の電子文書ファイルの名称等がそれに当たる。６０４は、ファイルサイズであり、例えば５２の電子文書ファイルのサイズが記録されている。６０５は、ファイルへのＰａｔｈであり、ファイルがどのディレクトリに作成されているかを示す。
【００４４】
６０６は、ファイルグループ種であり、５２の電子文書ファイル種類を記録することが可能で、例えば電子文書ファイルが複数存在した場合には、それらのファイルが同一種類のファイルであることをこれで判定できる。６０７は、次のファイル情報領域へのオフセット値であり、電子文書管理ファイルの先頭からのオフセット値を示す。以降のファイルに関しては図では省略されているが、６０３から６０７の項目がファイル数分だけ繰り返し記録されている。
【００４５】
図９に、印刷文書ファイル３８の構成例を示す。
【００４６】
印刷文書ファイルは、先にも述べたように印刷する電子文書そのものである。これを管理するため９０１は文書作成時のＩＤで電子文書が最初に作成された時点に割り当てられたＩＤを記載する。このＩＤは電子文書の消滅まで変更されない。９０２は文書編集時のＩＤで電子文書を最後にに編集した時点に割り当てられたＩＤを記載する。９０３が電子文書である。
【００４７】
図１０に、本従来の実施例において電子文書ファイルにと履歴管理ファイルに如何様に記録処理なされるかの一例を説明するフローチャートである。
【００４８】
ステップ１００１にて電子文書ファイルをキーボード９やＰＤ１０等にて選択する。そしてステップ１００２にてステップ１００１で選択された電子文書ファイルのＯｐｅｎ，編集をキーボード９やＰＤ１０等にて指示される。ステップ１００３のデータの指示がされたかどうかの判定を繰り返し、指示されていればステップ１００４へ進む。ステップ１００４では、ファイルＩＤの生成処理をおこなう。
【００４９】
そしてステップ１００５にて履歴管理ファイルの更新に必要な他の情報を収集し、更新する。
【００５０】
図１１に、本実施例の電子文書ファイルをエクスポートした場合の処理の流れを説明する。
【００５１】
ステップ１１０１ではユーザーによりエクスポートする電子ファイルが選択される。
【００５２】
ステップ１１０２では、エクスポートファイルに埋め込むためのヘッダ情報を作成する。ステップ１１０３では履歴管理情報から文書作成時のＩＤと最新のＩＤを収集する。ステップ１１０４では１１０３で収集したＩＤをヘッダ情報に追加する。ステップ１１０５で最終的にヘッダ情報と電子文書をアーカイブする。
【００５３】
図１２に、本実施例のアーカイブファイルのドキュメント管理アプリケーションへのインポートについて説明する。
【００５４】
ステップ１２０１ではユーザーによりインポートが選択されたアーカイブファイルからヘッダ情報を取り出し解析する。ステップ１２０２ではアーカイブファイルを解凍する。ステップ１２０３では各ファイルのヘッダ情報からＩＤを取り出す。ステップ１２０４では取り出したＩＤ情報を履歴管理情報と照合する。ステップ１２０５では、ＩＤが一致した場合、ステップ１２０７の処理に移行し、ユーザーに通知する。このケースでは、文書作成時のＩＤが一致した場合と、最新のＩＤが一致した場合がある。作成時のＩＤのみ一致した場合、その文書が外部で編集されている事を示す。最新のＩＤも共に一致している場合、その文書が編集されていない事を示す。
【００５５】
一方、ＩＤが一致していない場合、ステップ１２０６で新規ファイルとして履歴管理表にＩＤ等の情報を登録する。
【図面の簡単な説明】
【００５６】
【図１】実施例におけるプログラムを起動する電子文書印刷装置のシステムブロック図
【図２】実施例におけるプログラムを起動する電子文書印刷装置の外観図
【図３】ドキュメント管理アプリケーションの電子文書とアーカイブファイルの流れを示す図
【図４】履歴管理テーブルの構造と設定する情報についての説明を示す図
【図５】電子文書ファイルを構成するファイルの一覧図
【図６】電子文書ファイルのフォーマットを説明する図
【図７】電子文書ファイルヘッダのフォーマットを説明する図
【図８】電子文書管理ファイルのフォーマットを説明する図
【図９】電子文書ファイルのフォーマットを説明する図
【図１０】電子文書ファイルと履歴管理ファイルを説明する図
【図１１】電子文書ファイルのエクスポート処理を説明する図
【図１２】電子文書ファイルのインポートを説明する図
【符号の説明】
【００５７】
１        システム・バス
２        ＣＰＵ
３        ＰＭＥＭ
４        通信制御部
５        デジタルカメラ
６        画像入出力制御部
７、１７  プリンタ
８        入力制御部
９        キーボード
１０      マウス
１１      ＶＲＡＭ
１２      表示出力制御部
１３      ＣＲＴ
１４      外部記憶制御部
１５      ハード・ディスク
１６      フロッピー（登録商標）・ディスク
【図１】
2006277037.tif 000003
【図２】
2006277037.tif 000004
【図３】
2006277037.tif 000005
【図４】
2006277037.tif 000006
【図５】
2006277037.tif 000007
【図６】
2006277037.tif 000008
【図７】
2006277037.tif 000009
【図８】
2006277037.tif 000010
【図９】
2006277037.tif 000011
【図１０】
2006277037.tif 000012
【図１１】
2006277037.tif 000013
【図１２】
2006277037.tif 000014